(57)【要約】【課題】本発明は、時刻を視覚的に容易に知ることができるとともに、視覚障害者も時刻を容易に知ることができ、ユーザーの利便性を向上させることが可能なデジタル放送受信機を提供することを目的とする。【解決手段】本発明によるデジタル放送受信機は、リモコン受光部６にて受信したリモコン信号に基づき、タイマー部１４、音声生成部９、および文字・グラフィックス描画部１１を制御する制御部８を備え、リモコンの操作が時計表示を要求する動作である場合において、制御部８は、所定の時計表示時間、文字・グラフィックス描画部１１にて生成された長針・短針を含むアナログ時計を描画データとして表示部１２に表示させるとともに、音声生成部９にて生成された信号に基づくガイド音声の出力が行われるよう制御することを特徴とする。【選択図】図１
2012156764.tif 000002
【特許請求の範囲】
【請求項１】
ユーザーが操作するリモコンから発信されたリモコン信号を受信するリモコン信号受信部と、
前記ユーザーに対して時刻を読上げるガイド音声を生成するために用いられる読上げデータを保管する読上げデータ保管部と、
前記読上げデータ保管部に保管された前記読上げデータを前記ガイド音声の信号に変換して生成する音声生成部と、
放送波に含まれる前記時刻情報を取得し、前記時刻情報を前記読上げデータに変換して前記読上げデータ保管部に出力するタイマー部と、
文字やグラフィックスを表示部に描画させるための描画データを生成する描画データ生成部と、
前記リモコン信号受信部にて受信した前記リモコン信号に基づき、前記タイマー部、前記音声生成部、および前記描画データ生成部を制御する制御部と、
を備え、
前記リモコンの操作が時計表示を要求する動作である場合において、前記制御部は、所定の時計表示時間、前記描画データ生成部にて生成された長針・短針を含むアナログ時計を前記描画データとして前記表示部に表示させるとともに、前記音声生成部にて生成された前記信号に基づく前記ガイド音声の出力が行われるよう制御することを特徴とする、デジタル放送受信機。
【請求項２】
前記表示部に前記アナログ時計が表示されている状態で、前記リモコンの操作が再度前記時計表示を要求する動作である場合は、前記アナログ時計の表示を消去し、かつ、前記ガイド音声の出力を停止することを特徴とする、請求項１に記載のデジタル放送受信機。
【請求項３】
前記描画データ生成部は、前記アナログ時計を半透明で描画し、前記表示部は、半透明の前記アナログ時計と前記放送波に含まれる番組映像とを合成して表示することを特徴とする、請求項１または２に記載のデジタル放送受信機。
【請求項４】
前記放送波に含まれる番組映像を縮小するスケーリング手段をさらに備え、
前記表示部は、前記スケーリング手段にて縮小された前記番組映像と前記描画データ生成部にて生成された前記アナログ時計とを、互いに重なり合わないように合成して表示することを特徴とする、請求項１または２に記載のデジタル放送受信機。
【請求項５】
前記所定の時計表示時間は、任意に可変設定可能であることを特徴とする、請求項１ないし４のいずれかに記載のデジタル放送受信機。
【請求項６】
前記制御部は、前記ガイド音声の出力の有無を任意に設定可能であることを特徴とする、請求項１ないし５のいずれかに記載のデジタル放送受信機。
【発明の詳細な説明】
【技術分野】
【０００１】
本発明は、デジタル放送受信機に関する。
【背景技術】
【０００２】
日本国内においてデジタル放送が開始され、視聴者（以下、ユーザーとも称する）は、視聴希望する番組を視聴するために操作リモコン（以下、単にリモコンとも称する）を用いてデジタル放送受信機を操作して選局することによって、高解像度・高画質の番組を視聴することができるようになった。デジタル放送では、番組を構成する映像や音声の他に、番組編成情報や時刻情報なども同時に配信されており、選局された番組を表示する以外にも様々なサービスをユーザーに提供することができる。
【０００３】
デジタル放送受信機は、デジタル放送によって配信される上記の各情報を使用して、ユーザーによる選局操作に伴って番組のタイトルや時刻などを画面表示する機能を有することが一般的に知られている。
【０００４】
従来では、チャンネル切り替え操作に応じて時刻情報を表示させるテレビジョン受信機が開示されている（例えば、特許文献１参照）。
【先行技術文献】
【特許文献】
【０００５】
【特許文献１】特開２００２−１４２１６７号公報
【発明の概要】
【発明が解決しようとする課題】
【０００６】
特許文献１では、チャンネル切り替え操作に応じて時刻情報を表示させているが、時刻を数字で表示しているため見づらいという問題があった。また、視覚障害者にとっては効果がなかった。また、ユーザーが番組を視聴しながら容易に時刻を確認することができなかった。
【０００７】
本発明は、これらの問題を解決するためになされたものであり、時刻を視覚的に容易に知ることができるとともに、視覚障害者も時刻を容易に知ることができ、ユーザーの利便性を向上させることが可能なデジタル放送受信機を提供することを目的とする。
【課題を解決するための手段】
【０００８】
上記の課題を解決するために、本発明によるデジタル放送受信機は、ユーザーが操作するリモコンから発信されたリモコン信号を受信するリモコン信号受信部と、ユーザーに対して時刻を読上げるガイド音声を生成するために用いられる読上げデータを保管する読上げデータ保管部と、読上げデータ保管部に保管された読上げデータをガイド音声の信号に変換して生成する音声生成部と、放送波に含まれる時刻情報を取得し、時刻情報を読上げデータに変換して読上げデータ保管部に出力するタイマー部と、文字やグラフィックスを表示部に描画させるための描画データを生成する描画データ生成部と、リモコン信号受信部にて受信したリモコン信号に基づき、タイマー部、音声生成部、および描画データ生成部を制御する制御部とを備え、リモコンの操作が時計表示を要求する動作である場合において、制御部は、所定の時計表示時間、描画データ生成部にて生成された長針・短針を含むアナログ時計を描画データとして表示部に表示させるとともに、音声生成部にて生成された信号に基づくガイド音声の出力が行われるよう制御することを特徴とする。
【発明の効果】
【０００９】
本発明によると、ユーザーが操作するリモコンから発信されたリモコン信号を受信するリモコン信号受信部と、ユーザーに対して時刻を読上げるガイド音声を生成するために用いられる読上げデータを保管する読上げデータ保管部と、読上げデータ保管部に保管された読上げデータをガイド音声の信号に変換して生成する音声生成部と、放送波に含まれる時刻情報を取得し、時刻情報を読上げデータに変換して読上げデータ保管部に出力するタイマー部と、文字やグラフィックスを表示部に描画させるための描画データを生成する描画データ生成部と、リモコン信号受信部にて受信したリモコン信号に基づき、タイマー部、音声生成部、および描画データ生成部を制御する制御部とを備え、リモコンの操作が時計表示を要求する動作である場合において、制御部は、所定の時計表示時間、描画データ生成部にて生成された長針・短針を含むアナログ時計を描画データとして表示部に表示させるとともに、音声生成部にて生成された信号に基づくガイド音声の出力が行われるよう制御するため、時刻を視覚的に容易に知ることができるとともに、視覚障害者も時刻を容易に知ることができ、ユーザーの利便性を向上させることが可能となる。
【図面の簡単な説明】
【００１０】
【図１】本発明の実施形態によるデジタル放送受信機の構成の一例を示すブロック図である。
【図２】本発明の実施形態による制御部の動作を示すフローチャートである。
【図３】本発明の実施形態による表示部に表示される時計の描画の一例を示す図である。
【図４】本発明の実施形態による表示部に表示される時計の描画の一例を示す図である。
【図５】本発明の実施形態による音声生成部と読上げデータ保管部との関係を示す図である。
【図６】本発明の実施形態によるタイマー部の動作を示すフローチャートである。
【図７】デジタル放送受信機の標準規格「ＡＲＩＢ−ＳＴＤ  Ｂ２４  デジタル放送におけるデータ放送符号化方式と伝送方式」に記載のＰＣＭ符号化パラメータの制約条件を示す図である。
【図８】従来の表示部に表示される時刻の一例を示す図である。
【発明を実施するための形態】
【００１１】
本発明の実施形態について、図面に基づいて以下に説明する。
【００１２】
まず、本実施形態によるデジタル放送受信機における、ユーザーに対して音声で情報を伝達するガイド音声について説明する。
【００１３】
ガイド音声とは、放送番組の音声再生出力とは別に、ユーザーに対して音声で情報を伝達するためにデジタル放送受信機に搭載された機能である。ガイド音声を再生するために文字列を音声に変換する技術があり、当該技術はデジタル放送受信機の標準規格である「ＡＲＩＢ−ＳＴＤ  Ｂ２４  デジタル放送におけるデータ放送符号化方式と伝送方式」に記載（図７参照）の音声符号化ファイルフォーマットのＡＩＦＦ（Ａｕｄｉｏ  Ｉｎｔｅｒｃｈａｎｇｅ  Ｆｉｌｅ  Ｆｏｒｍａｔ）形式で格納されたＰＣＭ（Ｐｕｌｓｅ  Ｃｏｄｅ  Ｍｏｄｕｌａｔｉｏｎ）データを、図７にて規定されるサンプリング周波数で読み出す（変換する）と、音声として再生することができる。
【００１４】
次に、本実施形態によるデジタル放送受信機の構成について説明する。
【００１５】
図１は、本発明の実施形態によるデジタル放送受信機の構成の一例を示すブロック図である。図１に示すように、本実施形態によるデジタル放送受信機は、衛星デジタル放送、地上波デジタル放送、またはケーブルテレビ放送などの放送波を受信するための選局回路であるチューナー１と、チューナー１にて受信された放送波に含まれる変調されたデータを、放送波で送る前のデータに戻す（復調する）ための復調回路である復調部２と、復調部２にて復調されたデータであって、放送波で送る前に多重化された、符号化された映像データと符号化された音声データと時刻データとを分離する回路である多重分離部３と、多重分離部３にて分離された符号化された映像データを復号する映像復号部４と、多重分離部３にて分離された符号化された音声データを復号する回路である音声復号部５と、映像復号部４にて復号された映像データである映像、文字、グラフィックスなどを表示する、例えば液晶モニターやプラズマモニターに代表される表示デバイスである表示部１２と、音声復号部５にて復号された音声データを出力する、例えばスピーカーに代表される音声出力装置である音声出力部１３とを備える。
【００１６】
また、本実施形態によるデジタル放送受信機は、ユーザーがデジタル放送受信機を操作するために使用するリモコン（図示せず）から発信された信号（リモコン信号）を受信する受信回路であるリモコン受光部６（リモコン信号受信部）と、リモコン受光部６にて受信したリモコン信号を解析する回路であるリモコン信号解析部７と、リモコン信号解析部７による解析結果に基づき、チューナー１に対してチャンネル切り換えの指示や、音声生成部９に対してガイド音声の信号の生成の指示や、文字・グラフィックス描画部１１に対して文字やグラフィックスを表示部１２に描画させるための描画データの生成の指示や、あるいは、タイマー部１４に対する指示を行う制御回路である制御部８と、制御部８による指示に基づき、表示部１２に文字やグラフィックスを描画させるためのデータ（描画データ）を生成する回路である文字・グラフィックス描画部１１（描画データ生成部）と、ユーザーに対して時刻を読上げるガイド音声を生成するために用いられる読上げデータを保管する不揮発性メモリなどの記憶媒体である読上げデータ保管部１０と、制御部８による指示に基づき、読上げデータ保管部１０からガイド音声として出力する対象となる読上げデータを読み出して音声データ（ガイド音声の信号）に変換する（音声データを生成する）回路である音声生成部９と、多重分離部３から分離された放送波に含まれる時刻情報を取得し、定期的に、取得した時刻情報を読上げデータに変換して読上げデータ保管部１０に出力する回路であるタイマー部１４とを備える。
【００１７】
次に、本実施形態によるデジタル放送受信機の動作について説明する。
【００１８】
チューナー１は、視聴対象の番組が放送されている放送波の周波数で受信する。受信された放送波は、復調部２において、放送事業者が放送波で送信するために変調したデータを放送波で送信する前のデータに戻し（復調し）、放送波を送信する伝送路上で発生したデータの誤りを修復する。復調部２にて復調・修復されたデータは、多重分離部３にて映像データと音声データとに分離される。このとき、映像データおよび音声データは、それぞれ符号化されている。多重分離部３にて分離された符号化されている映像データは、映像復号部４にて復号され、人が認識できる映像として生成される。また、多重分離部３にて分離された符号化されている音声データは、音声復号部５にて復号され、人が認識できる音声として生成される。生成された映像・音声は、それぞれ表示部１２と音声出力部１３とから出力され、ユーザーが番組を視聴することが可能となる。
【００１９】
視聴中の番組を変える（他の番組に切り換える）場合、ユーザーはリモコンを操作してチャンネルの切り換えを行う。リモコン受光部６は、リモコンから発信されたリモコン信号を受信してリモコン信号解析部７に出力する。リモコン信号解析部７は、入力されたリモコン信号の解析を行い、解析結果を制御部８に出力する。制御部８は、リモコン信号解析部７による解析結果に基づいて、リモコン信号が選局操作に関する信号であればチャンネル切り換えの対象となる番組の放送波を受信するよう指示する。チューナー１は、制御部８の指示に従って受信する放送波の周波数を切り換え（チャンネルを切り換え）、チャンネル切り換えの対象となる番組の放送波を受信する。チャンネル切り換え後に受信した番組の映像・音声は、それぞれ表示部１２と音声出力部１３とから出力（再生）される。
【００２０】
図２は、本実施形態による制御部８の動作を示すフローチャートである。図２に示すように、制御部８は、リモコン信号解析部７にて解析されたリモコン信号の解析結果を確認し（ステップＳ２０１）、リモコン信号が選局操作に関する信号であるか否かの判定を行う（ステップＳ２０２）。ステップＳ２０２において、選局操作に関する信号ではない（選局以外の操作に関する信号である）と判定されると、リモコン信号が時計表示操作に関する信号であるか否かの判定を行う（ステップＳ２０３）。一方、ステップＳ２０２において、選局操作に関する信号であると判定されると、チューナー１に対して選局（チャンネルの切り換え）を指示する（ステップＳ２１３）。
【００２１】
ステップＳ２０３において、リモコン信号が時計表示操作に関する信号であると判定されると、次に、デジタル放送受信機の電源がＯＦＦ状態であるか否かを確認し（ステップＳ２０４）、電源がＯＦＦ状態であればＯＮ状態にする（ステップＳ２０５）。ここで、電源がＯＦＦ状態とは、表示部１２に何も表示されず音声の出力もない状態を示し、電源がＯＮ状態とは、表示部１２に表示可能で音声も出力可能な状態を示す。
【００２２】
デジタル放送受信機の電源をＯＮ状態にする（あるいは、ＯＮ状態であることを確認する）と、制御部８はタイマー部１４から時刻情報を読み出し（ステップＳ２０６）、読み出した時刻情報を文字・グラフィックス描画部１１に出力して（ステップＳ２０７）、文字・グラフィックス描画部１１に対して長針・短針を含むアナログ時計（以下、単にアナログ時計とも称する）を描画データとして生成し表示部１２に表示するよう指示し、生成された描画データを表示部１２に表示させる（ステップＳ２０８）。同時に、音声生成部９に対して時刻の読上げを行うガイド音声の信号を生成して音声出力部１３からガイド音声が出力されるよう指示する（ステップＳ２０９）。
【００２３】
ステップＳ２０９の後、制御部８は、次回の時刻情報の読み出しまでの待ち時間（時刻更新タイマー、所定の時計表示時間）をタイマー部１４に設定する（ステップＳ２１０）。その後、予め設定した描画データ（アナログ時計）の表示時間（所定の時計表示時間）が経過するまでの間に（ステップＳ２１１）、新たなリモコン信号の受信がなければ（ステップＳ２１２）、ステップＳ２１０にて設定された時刻更新タイマーが経過するたびに（ステップＳ２１６）、上記のステップＳ２０６〜ステップＳ２１０の処理を繰り返す。そして、ステップＳ２１１において、表示時間が経過すると、音声生成部９に対してガイド音声の信号の出力を終了して音声出力部１３からガイド音声が出力されないよう指示するとともに（ステップＳ２１４）、文字・グラフィックス描画部１１に対して表示部１２に表示されている描画データを消去するよう指示する（ステップＳ２１５）。
【００２４】
なお、ステップＳ２１０における時刻更新タイマーの設定値は、例えば１分など任意に設定することができ、設定したタイマーが経過するたびにアナログ時計の針の描画を変更して表示するとともに、変更した時刻をガイド音声によって読上げるようにする。
【００２５】
また、ステップＳ２１１における表示時間の設定値は、ソフトウェアの処理によって固定値としてもよく、あるいは、予め不揮発性の記憶媒体に所望の設定値を記憶させて使用するようにしてもよい。すなわち、表示時間（所定の時計表示時間）の設定は、任意に可変設定可能としてもよい。
【００２６】
また、表示部１２にアナログ時計が表示されている状態で、リモコンの操作が再度時計表示を要求する動作である場合は、アナログ時計の表示を消去し、かつ、ガイド音声の出力を停止するようにしてもよい。
【００２７】
上記の動作処理を行うことによって、リモコンの操作が時刻表示（時計表示）を要求する動作である場合において、文字・グラフィックス描画部１１にて生成されたアナログ時計を描画データとして表示部１２に表示させるとともに、音声生成部９にて生成された信号に基づくガイド音声の出力が行われる。
【００２８】
図３および図４は、本発明の実施形態による表示部１２に表示される時計の描画の一例を示す図である。図３では、文字・グラフィックス描画部１１にて描画データとして生成されたアナログ時計１５と、映像復号部４にて復号された番組映像とが合成して表示部１２に表示されている。アナログ時計１５は、文字・グラフィックス描画部１１にて半透明となるように描画されることによって、表示部１２にて番組映像と合成して表示されたときにアナログ時計１５の背景にある番組映像が透けて見えるようにすることができる。
【００２９】
また、図４では、番組映像をスケーリング手段（図示せず）によって縮小し、縮小した番組映像の表示領域外に時計１５（アナログ時計）が合成して表示部１２に表示されている。すなわち、表示部１２は、スケーリング手段にて縮小された番組映像と文字・グラフィックス描画部１１にて生成されたアナログ時計１５とを、互いに重なり合わないように合成して表示している。なお、番組映像の表示領域外には、アナログ時計１５の他に、ユーザーの操作メニューなどのボタンや、ユーザーに対する告知情報などを表示してもよい。
【００３０】
図３および図４に示すように、表示部１２にアナログ時計１５を表示することによって、従来の時刻を数字で表示する場合（例えば、図８参照）よりも視覚的に容易に時刻を知ることができる。
【００３１】
図５は、本実施形態による音声生成部９と読上げデータ保管部１０との関係を示す図である。図５に示すように、多重分離部３にて放送波から分離された時刻情報は、タイマー部１４に入力される。タイマー部１４に入力された時刻情報は、ＡＩＦＦフォーマット（ＡＩＦＦ形式）の文字列データに変換され、読上げデータ保管部１０の時刻情報格納領域に上書きして格納される。音声生成部９は、読上げデータ保管部１０の時刻情報格納領域に格納されている文字列データを読み出し、ガイド音声の信号に変換して生成する。また、制御部８は、時刻更新タイマーをタイマー部１４に設定し（図２のステップＳ２１０）、設定した時刻更新タイマーが経過するとタイマー部１４から経過した旨が通知される（図２のステップＳ２１６）。
【００３２】
図６は、本実施形態によるタイマー部１４の動作を示すフローチャートである。図６に示すように、多重分離部３から時刻情報が入力されると（ステップＳ６０１）、入力された時刻情報に基づいてデジタル放送受信機内部の時計（以下、内部時計とも称する）を補正する（ステップＳ６０２）。なお、ステップＳ６０２の後、次に多重分離部３から時刻情報が入力されるまでは自走のクロックで内部時計を更新し、多重分離部３から時刻情報が入力されると内部時計の補正を行う。
【００３３】
ステップＳ６０２にて補正された時刻は、ＡＩＦＦフォーマットの文字列データに変換され（ステップＳ６０３）、読上げデータ保管部１０の時刻情報格納領域（図５参照）に出力される（ステップＳ６０４）。そして、自走のクロックによって時計を更新するために自己タイマーが設定され（ステップＳ６０５）、設定したタイマーが経過すると（ステップＳ６０６）、時刻情報を更新し（ステップＳ６０７）、更新後の時刻情報が文字列データに変換され（ステップＳ６０３）、読上げデータ保管部１０の時刻情報格納領域に格納される（ステップＳ６０４）。なお、ステップＳ６０５は図２のステップＳ２１０に対応し、ステップＳ６０６は図２のステップＳ２１６に対応している。
【００３４】
ステップＳ６０７において、タイマー部１４は制御部８に対して設定したタイマーが経過した旨を通知する（図５参照）。通知を受けた制御部８は、アナログ時計の針の描画を変更（更新）して表示させるよう文字・グラフィックス描画部１１に指示する。
【００３５】
以上のことから、ユーザーがリモコンを用いて時刻表示を行う操作をすると、アナログ時計を表示部に表示し、時計表示中はアナログ時計の針の描画を更新して表示しているため、時刻を視覚的に容易に知ることができる。また、アナログ時計を表示部に表示させるとともに時刻をガイド音声によって読上げているため、視覚障害者も時刻を容易に知ることがでる。従って、ユーザーの利便性を向上させることが可能となる。
【００３６】
なお、本実施形態では、表示部１２へのアナログ時計の表示とガイド音声による時刻の読上げとを同時に行っているが、例えば、デジタル放送受信機の設定項目にガイド音声の出力の有無を任意に設定可能な選択肢を設けてもよい。
【産業上の利用可能性】
【００３７】
本発明の活用例として、デジタル放送受信機に適用できる。
【符号の説明】
【００３８】
１  チューナー、２  復調部、３  多重分離部、４  映像復号部、５  音声復号部、６  リモコン受光部、７  リモコン信号解析部、８  制御部、９  音声生成部、１０  読上げデータ保管部、１１  文字・グラフィックス描画部、１２  表示部、１３  音声出力部、１４  タイマー部、１５  アナログ時計。
【図１】
2012156764.tif 000003
【図２】
2012156764.tif 000004
【図３】
2012156764.tif 000005
【図４】
2012156764.tif 000006
【図５】
2012156764.tif 000007
【図６】
2012156764.tif 000008
【図７】
2012156764.tif 000009
【図８】
2012156764.tif 000010